(57)【要約】【課題】スライドドアの流体通過断面積をできるだけ広く取ることができ、風量の減少、騒音の増加を防止することができるスライドドア構造を提供する。【解決手段】このスライドドア構造５１は、ダクト５３が仕切板５５で２つの流路に仕切られ、これら２つの流路にそれぞれスライドドア６５，７１が設けられ、これらスライドドアをガイドする第１のガイド部６３と第２のガイド部６９が仕切板５５に設けられたスライドドア構造５１において、仕切板５５上の第１のガイド部６３の位置を第２のガイド部６９の位置に対して流路方向にシフトするとともに、流路方向から見た場合に、第１のガイド部６３が第２のガイド部６９に重なるように配設している。【選択図】図１
2009001067.tif 000002
【特許請求の範囲】
【請求項１】
気体流路を画成するダクト（５３）と、
この気体流路をこの流路に沿って第１の流路（５７）と第２の流路（５９）に仕切る仕切板（５５）と、
前記第１の流路（５７）及び前記第２の流路（５９）に交わる開閉平面上で前記仕切板（５５）に沿う方向に前記第１の流路（５７）に侵入後退をして前記第１の流路（５７）を開閉する第１のドア（６５）と、
前記開閉平面上で前記仕切板（５５）に沿う方向に前記第２の流路（５９）に侵入後退をして前記第２の流路（５９）を開閉する第２のドア（７１）と、
前記仕切板（５５）に設けられ、前記第１の流路（５７）に開口する断面凹状の溝を構成するガイド部であって、前記第１のドア（６５）の前記第１の流路（５７）への侵入、後退をガイドする第１のガイド部（６３）と、
前記仕切板（５５）に設けられ、前記第２の流路（５９）に開口する断面凹状の溝を構成するガイド部であって、前記第２のドア（７１）の前記第２の流路（５９）への侵入、後退をガイドする第２のガイド部（６９）と、
を備えたスライドドア構造において、
前記仕切板（５５）上の前記第１のガイド部（６３）の位置を前記第２のガイド部（６９）の位置に対して前記流路方向にシフトするとともに、前記流路方向から見た場合に、前記第１のガイド部（６３）が前記第２のガイド部（６９）に重なるように配設したことを特徴とするスライドドア構造。
【請求項２】
前記第１のドア（６５）の挿抜方向に直交する断面形状と、前記第２のドア（７１）の挿抜方向に直交する断面形状とが同一になるように前記第１のドア（６５）、前記第２のドア（７１）を形成したことを特徴とする請求項１に記載のスライドドア構造。
【発明の詳細な説明】
【技術分野】
【０００１】
本発明は、空調機器等に使用される空気流路に設けられたスライドドア構造に関する。
【背景技術】
【０００２】
空調ユニット等には、ダクト内に形成された空気流路を仕切板で仕切り、仕切られたそれぞれの空気流路にスライドドアを設けた構造が採用されている。この構造は、例えば図６に示すようなものであって、このスライドドア構造１１は、ダクト１３内にこのダクト１３の流路に平行に仕切板１５を設け、この仕切板１５によって仕切られた第１の流路１７と第２の流路１９にそれぞれ第１のスライドドア２１、第２のスライドドア２３を略同一平面上に設けたものである。第１のスライドドア２１は、ダクト１３側に設けられた第１の外側ガイド部２５と仕切板１５側に設けられた第１の内側ガイド部２７とによってガイドされ開閉するようになっている。また、第２のスライドドア２３は、ダクト１３側に設けられた第２の外側ガイド部２９と仕切板１５側に設けられた第２の内側ガイド部３１とによってガイドされ開閉するようになっている。
【０００３】
このようなスライドドア構造１１は、第１、第２の外側ガイド部２５，２９がダクト１３から流路内に突出して形成され、第１、第２の内側ガイド部２７，３１が仕切板１５から流路内に突出して形成されているため、スライドドア部の第１の流路１７、第２の流路１９の流体通過断面積Ａがスライドドアがない部分の本来の流体通過断面積Ｓに対して小さくなってしまう。このため、圧力損失が大幅に増加して、風量が減少するとともに、騒音が大きくなるという問題点があった。
【０００４】
なお、従来のスライドドア構造としは、例えば特許文献１に示すようなものが知られている。
【０００５】
【特許文献１】（（（公知文献ありましたら記入お願いいたします。）））
【発明の開示】
【発明が解決しようとする課題】
【０００６】
本発明は、上記問題点を解決することをその課題とし、スライドドア部の流体通過断面積をできるだけ広く取ることができ、風量の減少、騒音の増加を防止することができるスライドドア構造を提供することを目的とする。
【課題を解決するための手段】
【０００７】
上記課題を解決するため、気体流路を画成するダクト（５３）と、この気体流路をこの流路に沿って第１の流路（５７）と第２の流路（５９）に仕切る仕切板（５５）と、第１の流路（５７）及び第２の流路（５９）に交わる開閉平面上で前記仕切板（５５）に沿う方向に第１の流路（５７）に侵入後退をして第１の流路（５７）を開閉する第１のドア（６５）と、開閉平面上で前記仕切板（５５）に沿う方向に第２の流路（５９）に侵入後退をして前記第２の流路（５９）を開閉する第２のドア（７１）と、仕切板（５５）に設けられ、第１の流路（５７）に開口する断面凹状の溝を構成するガイド部であって、第１のドア（６５）の第１の流路（５７）への侵入、後退をガイドする第１のガイド部（６３）と、仕切板（５５）に設けられ、第２の流路（５９）に開口する断面凹状の溝を構成するガイド部であって、第２のドア（７１）の第２の流路（５９）への侵入、後退をガイドする第２のガイド部（６９）とを備えたスライドドア構造において、仕切板（５５）上の第１のガイド部（６３）の位置を第２のガイド部（６９）の位置に対して流路方向にシフトするとともに、流路方向から見た場合に、第１のガイド部（６３）が第２のガイド部（６９）に重なるように配設した手段を採用することができる。
【０００８】
この手段を採用すれば、仕切板（５５）からの第１のガイド部（６３）第２のガイド部（６９）の突出量を略半分にすることができ、第１の流路（５７）、第２の流路（５９）の流体通過断面積を大きくとることができる。したがって、風量の減少、騒音の増加を防止することができる。
【０００９】
上記課題を解決するため、第１のドア（６５）の挿抜方向に直交する断面形状と、第２のドア（７１）の挿抜方向に直交する断面形状とが同一になるように第１のドア（６５）、第２のドア（７１）を形成した手段を採用することができる。したがって、部品点数を削減することができ、コストの低減が可能となる。
【発明を実施するための最良の形態】
【００１０】
以下、本発明の実施の形態について、図１ないし図５を参照して説明する。
【００１１】
図１中、符号５１は、本発明の第１の実施の形態であるスライドドア構造を示す。このスライドドア構造５１は断面略矩形状のダクト５３を有している。このダクト５３は、互いに対向する第１の側壁５３ａと第２の側壁５３ｂとを有しており、この第１の側壁５３ａと第２の側壁５３ｂとの間には、このダクト５３の流路を流路に沿って２分する仕切板５５が設けられている。そして、この仕切板５５によって、ダクト５３内に第１の流路５７と第２の流路５９が形成される。
【００１２】
第１の側壁５３ａの第１の流路５７側には第１の外側ガイド部６１が設けられている。この第１の外側ガイド部６１は、第１の側壁５３ａから第１の流路５７内に突出するとともに互いに離間して配設された一対のガイドリブ６１ａ，６１ａを有している。そして、これら互いに離間するガイドリブ６１ａ、６１ａと第１の側壁５３ａとに囲まれた空間に第１の外側ガイド溝６１ｂが形成されている。
【００１３】
第１の外側ガイド部６１に対向する仕切板５５には第１の内側ガイド部６３が設けられている。第１の内側ガイド部６３は、第１の外側ガイド部６１に対して流路方向の一方の側に若干ずれた位置に配設されている。この第１の内側ガイド部６３は、仕切板５５から第１の流路５７内及び第２の流路５９内の双方に突出するとともに互いに離間して配設された一対のガイドリブ６３ａ，６３ａとこれら一対のガイドリブ６３ａ，６３ａの第２の流路５９側の端部を連結する底壁６３ｂとを有して、断面コ字状に形成されている。そして、これら互いに離間するガイドリブ６３ａ、６３ａと底壁６３ｂによって囲まれた空間に第１の内側ガイド溝６３ｃが形成されている。
【００１４】
第１の外側ガイド部６１と第１の内側ガイド部６３との間には、第１のスライドドア６５が挿抜可能にガイドされている。この第１のスライドドア６５は、その外側ガイド部６１側に外側ガイド縁部６５ａを有しており、この外側ガイド縁部６５ａは第１の外側ガイド部６１の第１の外側ガイド溝６１ｂにガイドされている。また、第１のスライドドア６５は、その第１の内側ガイド部６３側に内側ガイド縁部６５ｂを有しており、この内側ガイド縁部６５ｂは第１の内側ガイド部６３の第１の内側ガイド溝６３ａにガイドされている。そして、第１の流路５７を連通、遮断できるようになっている。
【００１５】
第２の側壁５３ｂの第２の流路５９側には、第１の外側ガイド部６１に対向する位置に第２の外側ガイド部６７が設けられている。この第２の外側ガイド部６７は、第２の側壁５３ｂから第２の流路５９内に突出するとともに互いに離間して配設された一対のガイドリブ６７ａ，６７ａを有している。そして、これら互いに離間するガイドリブ６７ａ、６７ａと第２の側壁５３ｂとに囲まれた空間に第２の外側ガイド溝６７ｂが形成されている。
【００１６】
第２の外側ガイド部６７に対向する仕切板５５には第２の内側ガイド部６９が設けられている。この第２の内側ガイド部６９は、第１の内側ガイド部６３の流路方向の他方の側に隣接して設けられている。この第２の内側ガイド部６９は、第１の内側ガイド部６３の一対のガイドリブ６３ａ、６３ａのうち流路方向の他方の側のガイドリブ６３ａと、仕切板５５から第１の流路５７内及び第２の流路５９内の双方に突出するとともにガイドリブ６３ａに平行に配設されたガイドリブ６９ａとを有している。これら一対のガイドリブ６３ａ，６９ａの第１の流路５７側の端部を連結する底壁６９ｂとを有して、断面コ字状に形成されている。そして、これら互いに離間するガイドリブ６３ａ、６９ａと底壁６９ｂによって囲まれた空間に第２の内側ガイド溝６９ｃが形成されている。
【００１７】
第２の外側ガイド部６７と第２の内側ガイド部６９との間には、第２のスライドドア７１が挿抜可能にガイドされている。この第２のスライドドア７１は、その外側ガイド部６７側に外側ガイド縁部７１ａを有しており、この外側ガイド縁部７１ａは第２の外側ガイド部６７の第１の外側ガイド溝６７ｂにガイドされている。また、第２のスライドドア７１は、その第２の内側ガイド部６９側に内側ガイド縁部７１ｂを有しており、この内側ガイド縁部７１ｂは第２の内側ガイド部６９の第２の内側ガイド溝６９ａにガイドされている。そして、第２の流路５９を連通、遮断できるようになっている。
【００１８】
このような構成において、第１のスライドドア６５をガイドする第１の内側ガイド部６３と第２のスライドドア７１をガイドする第２の内側ガイド部６９とは、そのガイドリブ６３ａを共有し、流路方向にシフトして配設し、流路方向から見た場合に、第１の内側ガイド部６３が第２の内側ガイド部６９に重なるように配置している。したがって、仕切板５５から第１の流路５７、第２の流路５９への第１の内側ガイド部６３、第２の内側ガイド部６９の突出量を従来の約半分にすることができる。
【００１９】
すなわち、図２に示す従来のスライドドア構造１１にあっては、第１の内側ガイド部２７を仕切板１５の一方の側、第２の内側ガイド部３１を仕切板１５の他方の側に設けている。これに対して、本実施の形態のスライドドア構造５１では、第１、第２の内側ガイド部６３，６９を仕切板５５の両側にわたって設けている。したがって、スライドドア構造５１では、第１および第２の内側ガイド部６３，６９の仕切板５５からの突出量Ｔを従来のスライドドア構造１１における突出量Ｕの略半分にすることができる。したがって、その差Ｄだけ流体通過断面積Ｂを広く取ることができ、風量の減少、騒音の増加を防止することができる。
【００２０】
図３は、第２の実施形態のスライドドア構造８１を示すものである。このスライドドア構造８１は、仕切板５５およびこの仕切板５５に設けられた第１の内側ガイド部６３、第２の内側ガイド部６９は、第１の実施形態のスライドドア構造５１と全く同一である。これに対して、第１の側壁５３ａに設けられた第１の外側ガイド部８３は、その形状は、スライドドア構造５１の第１の外側ガイド部６１と同じであるが、その位置は、流路の流れ方向において、第２の内側ガイド部６９と同一の位置に設けられている。また、第２の側壁５３ｂに設けられた第２の外側ガイド部８５も、その形状は、スライドドア構造５１の第２の外側ガイド部６７と同じであるが、その位置は、流路の流れ方向において、第１の内側ガイド部６３と同一の位置に設けられている。
【００２１】
したがって、第１の外側ガイド部８３と第１の内側ガイド部６３との流路の流れ方向におけるシフト量Ｋは、第２の内側ガイド部６９と第２の外側ガイド部８５との流路の流れ方向におけるシフト量Lと等しくなり、第１の外側ガイド溝８３ｂと第１の内側ガイド溝６３ｃとの流路の流れ方向におけるシフト量が、第２の内側ガイド溝６９ｃと第２の外側ガイド溝８５ｂとの流路の流れ方向におけるシフト量に等しくなる。したがって、第１のスライドドア８７の外側ガイド縁部８７ａと内側ガイド縁部８７ｂとの位置関係と、第２のスライドドア８９の内側ガイド縁部８９ｂと外側ガイド縁部８９ａとの位置関係とが同一になる。このため、第１のスライドドア８７と第２のスライドドア８９とを同一断面形状にして共用することができ、コストの削減を図ることができる。
【００２２】
図４は、第３の実施の形態であるスライドドア構造９１を示す図であって、図３に示すスライドドア構造８１において、第１の側壁５３ａと第２の側壁５３ｂの間に、第１の内側ガイド部６３と第２の内側ガイド部６９が設けられた仕切板５５を２つ設けた点を除き他の点は同一である。この場合においても、中央部の第３のスライドドア９３の両側の溝部の流路方向のシフト量が第１のスライドドア８７、第２のスライドドア８９と同じになるので、各スライドドア８７，８９，９３を同一断面形状にすることができ、したがってコストダウンを図ることができる。
【００２３】
図５は、スライドドアを剛体ではなく、フィルム状の部材で構成した場合を示している。
【００２４】
図５（ａ）は、スライドドア構造１０１を示すもので、第１の側壁５３ａと第２の側壁５３ｂとの間に仕切板５５が設けられている。第１の側壁５３ａには、第１の外側ガイド部１０３が設けられている。また、仕切板５５には、第１の外側ガイド部１０３と対向して第１の内側ガイド部１０５が設けられている。この第１の内側ガイド部１０５は、第１の外側ガイド部１０３と流路方向の同位置に設けられている。そして、これら第１の外側ガイド部１０３と第１の内側ガイド部１０５との間に平面状の第１のスライドドア１０７が挿抜可能に配設されている。
【００２５】
また、仕切板５５上での第１の内側ガイド部１０５に対して流路方向にシフトした位置には、第２の内側ガイド部１０９が設けられている。また、第２の側壁５３ｂには、第２の内側ガイド部１０９と対向して第２の外側ガイド部１１１が設けられている。この第２の外側ガイド部１１１は、第２の内側ガイド部１０９と流路方向の同位置に設けられている。そして、これら第２の内側ガイド部１０９と第２の外側ガイド部１１１との間に平面状の第２のスライドドア１１３が挿抜可能に配設されている。
【００２６】
このように、ガイド部を対向させ流路方向の位置を一致させることによってスライドドアとして単一平面状のフィルムを採用することができるとともに、同一形状のスライドドアを使用することができる。したがって、スライドドアのコストを大幅に削減することができる。
【００２７】
図５（ｂ）は、スライドドア構造１２１を示すもので、第１の側壁５３ａと第２の側壁５３ｂとの間に第１の仕切板５５と第２の仕切板１５５が設けられている。第１の側壁５３ａには、第１の外側ガイド部１０３が設けられている。また、仕切板５５には、第１の外側ガイド部１０３と対向して第１の内側ガイド部１０５が設けられている。この第１の内側ガイド部１０５は、第１の外側ガイド部１０３と流路方向の同位置に設けられている。そして、これら第１の外側ガイド部１０３と第１の内側ガイド部１０５との間に平面状の第１のスライドドア１０７が挿抜可能に配設されている。
【００２８】
一方、第２の側壁５３ｂには、第２の外側ガイド部１２３が設けられている。この第２の外側ガイド部１２３は、第１の側壁５３ａの第１の外側ガイド部１０３と流路方向の同位置に配設されている。また、第２の仕切板１５５には、第２の外側ガイド部１２３と対向して第２の内側ガイド部１２５が設けられている。この第２の内側ガイド部１２５は、第２の外側ガイド部１２３と流路方向の同位置に設けられている。そして、これら第２の外側ガイド部１２３と第２の内側ガイド部１２５との間に平面状の第２のスライドドア１２７が挿抜可能に配設されている。
【００２９】
第１の仕切板５５上で第１の内側ガイド部１０５に対して流路方向にシフトした位置には、第３の一方のガイド部１２９が設けられている。第３の一方のガイド部１２９は、第２の仕切板１５５に向かって開口している。また、第２の仕切板１５５上で第２の内側ガイド部１２５に対して流路方向にシフトした位置には、第３の他方のガイド部１３１が設けられている。この第３の他方のガイド部１３１は、第３の一方のガイド部１２９と流路方向の同位置に対向して設けられている。そして、これら第３の一方のガイド部１２９と第３の他方のガイド部１３１との間には、単一平面状の第３のスライドドア１３３が挿抜可能に配設されている。
【００３０】
このスライドドア構造１２１においても、ガイド部を対向させ流路方向の位置を一致させることによってスライドドアとして単一平面状のフィルムを採用することができるとともに、同一形状のスライドドアを使用することができる。したがって、スライドドアのコストを大幅に削減することができる。
【００３１】
図５（ｃ）は、スライドドア構造２０１を示すものである。このスライドドア構造２０１は、図４に示すスライドドア構造９１と基本的には同一構成からなるもで、剛体からなる３つのスライドドア８７，８９，９３をフィルム状の部材からなる３つのスライドドア２０３，２０５，２０７に替えたものである。これら３つのスライドドア２０３，２０５，２０７は、それぞれ直平面状の本体部２０３ａ，２０５ａ，２０７ａとフィルム端部を加工した屈曲部２０３ｂ，２０５ｂ，２０７ｂを有しており、本体部２０３ａ，２０５ａ，２０７ａの表面が１つの平面上に位置するようになされている。
【００３２】
このスライドドア構造２０１においても、図４に示すスライドドア構造９１と同様に、各スライドドア２０３，２０５，２０７を同一断面形状にすることができ、したがってコストダウンを図ることができる。さらに、スライドドアとしてをフィルム状の部材を採用しているので、材料コストを削減することができる。また、本体部２０３ａ，２０５ａ，２０７ａの表面が１つの平面上に位置するようになされているので、美観を向上させることができる。
【００３３】
なお、上記実施の形態においては、図１に示すスライドドア構造５１、図３に示すスライドドア構造８１ではスライドドアが剛体の場合、図５（ａ）で示すスライドドア構造１０１、図５（ｂ）で示すスライドドア構造１２１では、スライドドアがフィルム状の場合について説明しているが、これに限る必要はなく、図１に示すスライドドア構造５１、図３に示すスライドドア構造８１でスライドドアとしてフィルム状のものを採用してもよく、また図５（ａ）で示すスライドドア構造１０１、図５（ｂ）で示すスライドドア構造１２１でスライドドアとして剛体のものを採用してもよい。
【図面の簡単な説明】
【００３４】
【図１】本発明の第１の実施の形態のスライドドア構造を示す断面図。
【図２】図１に示すスライドドア構造と従来のスライドドア構造とを比較した図。
【図３】本発明の第２の実施の形態のスライドドア構造を示す断面図。
【図４】本発明の第３の実施の形態のスライドドア構造を示す断面図。
【図５】本発明の第４ないし第６の実施の形態のスライドドア構造を示す概略断面図であって、（ａ）は第４の実施の形態、（ｂ）は第５の実施の形態、（ｃ）は第６の実施の形態を示す。
【図６】従来のスライドドア構造を示す断面図。
【符号の説明】
【００３５】
５１    スライドドア構造
５３    ダクト
５５    仕切板
５７    第１の流路
５９    第２の流路
６３    第１のガイド部
６５    第１のドア
６９    第２のガイド部
７１    第２のドア
８１    スライドドア構造
８７    第１のドア
８９    第２のドア
９１    スライドドア構造
９３    第３のドア
１０１    スライドドア構造
１２１    スライドドア構造
２０１    スライドドア構造
【図１】
2009001067.tif 000003
【図２】
2009001067.tif 000004
【図３】
2009001067.tif 000005
【図４】
2009001067.tif 000006
【図５】
2009001067.tif 000007
【図６】
2009001067.tif 000008